(57)【要約】【課題】  極細繊維使いによるメッシュ構造として両者の効果を併せ有する、柔軟で、汚れの拭き取り性がよく、水切れ，乾燥性も良好なワイピングクロスを提供する。【解決手段】  ウエール方向に所要の間隔をおいて並列編成された鎖編目列３と、該鎖編目列のウエール方向、所要の間隔毎にコース方向に挿入された挿入糸４によりメッシュ状に編成された編地であって、該編地の上記鎖編目編成糸３´及び挿入糸４がナイロンとポリエステルの０．５デニール以下の極細繊維フィラメントの複合集束糸よりなるメッシュ状ワイピングクロスである。【選択図】          図２
0003145652.tif 000002
【実用新案登録請求の範囲】
【請求項１】
ウエール方向に所要の間隔をおいて並列編成された鎖編目列と、該鎖編目列のウエール方向、所要の間隔毎にコース方向に挿入された挿入糸によりメッシュ状に編成された編地であって、該編地の上記鎖編目編成糸及び挿入糸がナイロンとポリエステルの単糸繊度０．５デニール以下の極細繊維フィラメントの複合集束糸よりなることを特徴とするメッシュ状ワイピングクロス。
【請求項２】
ナイロンとポリエステルの極細繊維フィラメントの複合集束糸がナイロン２５％とポリエステル７５％の複合である請求項１記載のメッシュ状ワイピングクロス。
【考案の詳細な説明】
【技術分野】
【０００１】
本考案は食器，ＯＡ機器，メガネ，ガラス製品等に付着した汚れを拭き取り除去するのに使用するワイピングクロスに係り、特に極細繊維を用い、メッシュ構造に形成して柔軟，水切れ，汚れ拭き取り性を良好ならしめた上記ワイピングクロスに関するものである。
【背景技術】
【０００２】
従来よりレンズ拭き，ガラス拭き，清掃用布帛などとしてワイピングクロスが広く用いられてきたが、近時、ＯＡ機器の進展と共に従来のレンズ拭き，グラス拭きだけでなく、ＯＡ機器のスクリーンの清浄化など、高度な汚染物除去性能をもつワイピングクロスが求められ、極細繊維を用いたワイピングクロスとして、単糸繊度０．１デニール以下の仮ヨリ加工された極細合成繊維と、単糸繊度１デニール以上の太繊度剛性繊維とからなるワイピングクロス（特許文献１参照）、編地表面を構成する糸に単糸繊度１．１デシテックス以下の異型断面合成繊維糸を用いたワイピング用編地（特許文献２参照）、花糸が単繊維繊度０．０９〜１．７ｄｔｅｘの繊維からなるモール糸を１インチ当たり８〜１６本挿入して製編したワイピング用布帛（特許文献３参照）などが提案されている。
【特許文献１】特開平９−１９３９３号公報
【特許文献２】特開２００４−１３１８６３号公報
【特許文献３】特開２００２−３７１４５１号公報
【考案の開示】
【考案が解決しようとする課題】
【０００３】
しかし、上記提案に係るワイピングクロスは極細繊維使いであるとしても、何れも通常の編地として緻密に編成されたものであって、柔軟性，乾燥性，水切れなどに欠ける難を有していた。そこで本考案は、特に極細繊維によるメッシュ構造として編成することにより、極細使いの効果にメッシュ構造の効果を重ねて柔軟，汚れの拭き取り性と共に水切れ，乾燥性の良好なワイピングクロスを提供することを目的とするものである。
【課題を解決するための手段】
【０００４】
即ち、上記目的に適合する本考案ワイピングクロスは、ウエール方向に所要の間隔をおいて並列編成された鎖編目列と、該鎖編目列のウエール方向、所要の間隔毎にコース方向に挿入された挿入糸によりメッシュ状に編成された編地であって、該編地の上記鎖編目編成糸及び挿入糸がナイロンとポリエステルの単糸繊度０．５デニール以下の極細繊維フィラメントの複合集束糸により構成されていることを特徴する。ここで、上記ナイロンとポリエステルの極細繊維フィラメントの複合集束糸はナイロン２５％とポリエステル７５％の複合であることが好適である。なお、上記編地は所要の幅と長さを有する編地に形成され、その周縁をかがりつけることによってメッシュ状ワイピングクロスとして使用される。
【考案の効果】
【０００５】
本考案ワイピングクロスは上記の如く、極細繊維使いで、かつメッシュ構造であることから、メッシュ状構造の効果である柔軟，水切れ，乾燥性良好な各効果と共に、極細繊維使いによる効果である柔軟，汚れの拭き取り性の良好な効果が併せ具備され、従来の極細繊維使いによる一般的な布帛，編物のワイピングクロスに比し総合的に広汎な分野でのワイピングクロス効果の向上を達成することができる。
【考案を実施するための最良の形態】
【０００６】
以下、更に添付図面にもとづいて本考案ワイピングクロスの具体的態様を説明する。図において１はワイピングクロス本体の編地で、ラッセル編機によりメッシュ状に編成されてなり、ワイピングクロス本体として所要の幅と長さを有する略正方形に裁断され、その周縁部２を縢りつけることによってワイピングクロスに形成されている。
【０００７】
図２は上記本体編地の編組織を一部拡大したものであって、ラッセル編機によりウエール方向に所要の間隔をおいて並列編成された鎖編目列３に対しウエール方向、複数の編目毎のコース方向に挿入糸４が挿入されて全体としてメッシュ状組織に編成されている。この場合、挿入糸４の挿入は図２の如く通常、鎖編目列のウエール方向、複数編目毎にコース方向に挿入されるが、このような挿入態様に限らず図３，図４に示すように鎖編目列３の各列に挿入糸を挿入し、その横振り挙動によって該挿入糸を並列鎖編目列間に介在させ、全体としてコース方向に挿入糸が挿入された状態を形成することも差し支えない。
【０００８】
図３，図４及び図５はその具体的態様の１例であり、ａ，ｂ，ｃは鎖編目列３の各列に挿入される挿入糸で、ａ，ｂは隣接ウエールとの間で各列のウエール方向、複数の通常、３編目毎に横振りする挿入糸であり、ｃは２ウエールを単位として前記挿入糸ａ，ｂと同じコース方向位置で反対側より横振りする挿入糸で、上記挿入糸ａ，ｂ，ｃを単位として隣接ウエール間の横振りと２ウエール間の反対側からの横振りが繰り返されてウエール方向に鎖編目形成糸３´と挿入糸ａとｃ、又はｂとｃによる重なりを形成すると共に、コース方向に挿入糸ａとｃ、ｃ，ｃ、又はｂとｃ，ｃの重なりによって全面にわたり挿入糸がコース方向に存在し、これがコース方向の挿入糸４の役割を有して、全体として図５に示す如きメッシュ状組織の編地を形成する。しかし、図２の如く並列された鎖編目列のウエール方向、複数編目列にコース方向に別の挿入糸４を挿入し、メッシュ状とすることが最も簡単である。
【０００９】
本考案ワイピングクロスは以上のようにメッシュ状組織をもって構成されるものであるが、更にもう１つの重要な特徴として該編地を形成する糸、即ち、鎖編目形成糸３´と挿入糸４の糸使いが挙げられる。即ち、本考案ではこれらの糸として特にナイロンとポリエステルの各単糸繊度０．５デニール以下、好ましくは０．３デニール以下の極細繊維フィラメントの複合集束糸が用いられる。この場合、ナイロンとポリエステルの各繊維フィラメントの混成度合いはナイロン２５％，ポリエステル７５％が好適であるが、勿論、これに限定されるものではない。
【００１０】
なお、この複合集束糸による編地形成にあたっては、ナイロンとポリエステル両ポリマーを接合して複合紡糸した分割型複合繊維糸を用いて編地を編成し、染色加工等の後加工時において前記分割型複合繊維糸を多数条の極細ナイロン，ポリエステル各フィラメントに分割することによって形成される。このとき分割された各フィラメント間はばらけた状態となって太さを保持し、拭き取り性を高める。
【００１１】
分割型複合繊維糸としては、ナイロン，ポリエステルの各ポリマーを溶融紡糸時に用いる口金形状により剥離し、分離し易い断面形状に複合紡糸することによって得られ、紡糸後、該複合糸は染色加工等の後加工時の液流等により分割して各極細繊維フィラメントとなる。
【００１２】
本考案において前述したワイピングクロス編地を作成するには、例えばナイロン２５％，ポリエステル７５％よりなり、１２分割可能に複合紡糸された１６０デニール／６４フィラメントの分割型複合糸を２本引揃えて編地を編成し、その後、染色加工等を行って分割することにより当初の複合糸は単糸繊度０．２〜０．３デニールの極細フィラメントに分繊され、本考案に係る極細繊維使いの編地に形成される。
【００１３】
なお、上記染色加工等において液流にさらされ分割された極細繊維フィラメントは挿入糸側は極細繊維に分繊されて稍、膨らみ状態を呈するに至るが、鎖編目列は鎖編を形成している関係上、特に膨れることなく、挿入糸を抑止した状態を保持して鎖編目を顕出させる。以上のようにして本考案ワイピングクロスが形成され、柔らかみをもち、拭き取り性に効果的な編地を得ることができる。
【図面の簡単な説明】
【００１４】
【図１】本考案に係るワイピングクロスの１例を示す外観図である。
【図２】本考案ワイピングクロス編地の一部拡大組織図である。
【図３】本考案ワイピングクロス編地の別の実施例に係る挿入糸挿入態様を示す図である。
【図４】上記図３にもとづく挿入糸の挿入組織図である。
【図５】上記図３，図４により得られる編地の一部拡大図である。
【符号の説明】
【００１５】
１：ワイピングクロス本体
２：周縁かがりつけ部
３：鎖編目列
３´：鎖編目形成糸
４：挿入糸
【図１】
0003145652.tif 000003
【図２】
0003145652.tif 000004
【図３】
0003145652.tif 000005
【図４】
0003145652.tif 000006
【図５】
0003145652.tif 000007